(57)【要約】      （修正有）【課題】構造が簡単で、片手での操作が可能な電子機器挟持装置を提供する。【解決手段】第１の挟持板１０及び第２の挟持板２０であって、第１の挟持板は第２の挟持板と摺動可能に接続される第１の挟持板及び第２の挟持板と、ネジロッド３０であって、第１の挟持板にネジ接続部１１が設けられ、ネジロッドは第１の挟持板のネジ接続部とネジ接続され、ネジロッドにネジロッドの周りに設けられた第１の軸方向位置規制部が設けられ、第２の挟持板に接続座２１が設けられ、接続座に第２の軸方向位置規制部が設けられ、ネジロッドはその第１の軸方向位置規制部で接続座の第２の軸方向位置規制部に接続されることで、ネジロッドと第２の挟持板との間の軸方向移動を限定するネジロッドと、ロック装置であって、ロック装置は接続座に設けられ、第１の挟持板及び第２の挟持板が電子機器を挟持する際に、ロック装置はネジロッドを周方向にロックするために用いられるロック装置と、を含む。【選択図】図７
0003234612.tif 000002
【実用新案登録請求の範囲】
【請求項１】
新規な電子機器挟持装置であって、
第１の挟持板（１０）及び第２の挟持板（２０）であって、前記第１の挟持板（１０）は前記第２の挟持板（２０）と摺動可能に接続される第１の挟持板（１０）及び第２の挟持板（２０）と、
ネジロッド（３０）であって、前記第１の挟持板（１０）にネジ接続部（１１）が設けられ、前記ネジロッド（３０）は前記第１の挟持板（１０）のネジ接続部（１１）とネジ接続され、前記ネジロッド（３０）に前記ネジロッド（３０）の周りに設けられた第１の軸方向位置規制部（３１）が設けられ、前記第２の挟持板（２０）に接続座（２１）が設けられ、前記接続座（２１）に第２の軸方向位置規制部（２１１）が設けられ、前記ネジロッド（３０）はその第１の軸方向位置規制部（３１）で前記接続座（２１）の第２の軸方向位置規制部（２１１）に接続されることで、前記ネジロッド（３０）と前記第２の挟持板（２０）との間の軸方向移動を限定するネジロッド（３０）と、
ロック装置（４０）であって、前記ロック装置（４０）は前記接続座（２１）に設けられ、前記第１の挟持板（１０）及び前記第２の挟持板（２０）が電子機器を挟持する際に、前記ロック装置（４０）は前記ネジロッド（３０）を周方向にロックするために用いられるロック装置（４０）と、を含む、
ことを特徴とする新規な電子機器挟持装置。
【請求項２】
前記ロック装置（４０）は、偏心輪（４１）と、偏心軸（４２）と、偏心輪ホルダ（４３）とを含み、前記偏心輪ホルダ（４３）は前記取り付け座（２１）に回転可能に接続され、前記偏心輪（４１）は前記偏心輪ホルダ（４３）に回転可能に設けられ、前記偏心軸（４２）は前記偏心輪（４１）に設けられ、前記偏心輪にスロット（４１１）が設けられ、前記ネジロッド（３０）の前記第１の挟持板（１０）から離れた一端は前記偏心輪ホルダ（４３）及び前記スロット（４１１）を貫通し、前記偏心軸（４２）に接続される、
ことを特徴とする請求項１に記載の新規な電子機器挟持装置。
【請求項３】
前記取り付け座（２１）に収容室（２１２）が設けられ、前記収容室（２１２）内にばね（５０）が設けられ、前記ばね（５０）は前記ネジロッド（３０）に外嵌され、前記ばね（５０）の一端は前記収容室（２１２）の内壁に当接し、前記ばね（５０）の他端は前記第２の軸方向位置規制部（２１１）に当接するために用いられる、
ことを特徴とする請求項２に記載の新規な電子機器挟持装置。
【請求項４】
前記偏心輪ホルダ（４３）の前記取り付け座（２１）に面する側に複数の第１のストッパ（４３１）が設けられ、前記取り付け座（２１）の前記偏心輪ホルダ（４３）に面する側に複数の第２のストッパ（２１３）が設けられ、前記第１のストッパ（４３１）は前記第２のストッパ（２１３）に係合する、
ことを特徴とする請求項３に記載の新規な電子機器挟持装置。
【請求項５】
前記第１の支持板（１０）に第１の挟持部材（１２）が設けられ、前記第２の支持板（２０）に第２の挟持部材（２２）が設けられ、前記第１の挟持部材（１２）は電子機器の一端に挟持されるために用いられ、前記第２の挟持部材（２２）は電子機器の他端に挟持されるために用いられ、前記第１の挟持部材（１２）と前記第２の挟持部材（２２）との間に挟持ステーションが形成される、
ことを特徴とする請求項１に記載の新規な電子機器挟持装置。
【請求項６】
２つのガイドロッド（６０）をさらに含み、前記第１の支持板（１０）に２つのガイドロッド貫通孔（１４）が設けられ、２つの前記ガイドロッド（６０）の一端は前記取り付け座（２１）に接続され、２つの前記ガイドロッド（６０）の他端は前記第２の支持板（２０）を貫通し、２つの前記ガイドロッド貫通孔（１４）まで延び、前記ネジロッド（３０）と２つの前記ガイドロッド（６０）とは「品」字状に設けられる、
ことを特徴とする請求項１に記載の新規な電子機器挟持装置。
【請求項７】
前記第１の挟持部材（１２）は前記第１の支持板（１０）の縁部に傾斜して設けられ、前記第２の挟持部材（２２）は前記第２の支持板（２０）の縁部に傾斜して設けられ、前記第１の挟持部材（１２）の自由端及び前記第２の挟持部材（２２）の自由端はいずれも前記挟持ステーションに向かって延びている、
ことを特徴とする請求項５に記載の新規な電子機器挟持装置。
【請求項８】
前記第１の挟持部材（１２）の内側及び前記第２の挟持部材（２２）の内側にいずれも緩衝部材（７０）が設けられる、
ことを特徴とする請求項５に記載の新規な電子機器挟持装置。
【請求項９】
前記第１の支持板（１０）に第１の受け部材（１３）がさらに設けられ、前記第２の支持板（２０）に第２の受け部材（２３）がさらに設けられ、前記第１の受け部材（１３）及び前記第２の受け部材（２３）は電子機器の底部を支持するために用いられる、
ことを特徴とする請求項１に記載の新規な電子機器挟持装置。
【請求項１０】
接続アセンブリ（８０）をさらに含み、前記第１の支持板（１０）の下面にユニバーサルボールスロット（１５）が設けられ、前記接続アセンブリ（８０）の一端にユニバーサルボール（８１）が設けられ、前記ユニバーサルボールは前記ユニバーサルボールスロット（１５）に挿着され、前記接続アセンブリ（８０）の他端にフープ（８２）が設けられ、前記フープ（８２）は円筒形の電子機器配置箇所にしっかりと接続するために用いられる、
ことを特徴とする請求項１に記載の新規な電子機器挟持装置。
【考案の詳細な説明】
【技術分野】
【０００１】
本考案は、電子機器の技術分野に関し、特に新規な電子機器挟持装置に関する。
【背景技術】
【０００２】
現代社会の生活において、携帯電話などの電子機器は人々の日常生活に大きな利便性をもたらしており、人々は携帯電話などのモバイル電子機器と切り離せなくなり、携帯電話などの電子機器の使用もますます頻繁になり、さらに運転、走行時にも携帯電話などの電子機器を使って電話をつないだり、ナビゲーションしたりする必要がある。
【０００３】
しかし、人々が自転車や自動二輪車、又は電気自動車に乗る場合、携帯電話などの電子機器を使用することは極めて不便であり、場合によってはそれによって危険が生じることさえある。そのため、携帯電話などの電子機器を自転車や自動二輪車、又は電気自動車に挟持固定することができる電子機器挟持ホルダが数多く誕生し、ユーザの使用をより便利にしている。従来の電子機器挟持装置は調整装置によって各支持脚間のピッチを調整し、さらにロック装置によって電子機器をロックするものが多く、使用が複雑であり、ユーザが個別に操作する必要がある。
【考案の概要】
【考案が解決しようとする課題】
【０００４】
本考案は、上記した従来技術に鑑みなされたものであり、単独の調節及びロック装置によって電子機器挟持間を調節することができ、構造簡単で片手での操作が可能な電子機器挟持装置を提供することを、その目的とする。
【課題を解決するための手段】
【０００５】
本考案がその技術的問題を解決するために採用した技術案は以下のとおりである。
本考案の電子機器挟持装置は、
第１の挟持板及び第２の挟持板であって、前記第１の挟持板は前記第２の挟持板と摺動可能に接続される第１の挟持板及び第２の挟持板と、
ネジロッドであって、前記第１の挟持板にネジ接続部が設けられ、前記ネジロッドは前記第１の挟持板のネジ接続部とネジ接続され、前記ネジロッドに前記ネジロッドの周りに設けられた第１の軸方向位置規制部が設けられ、前記第２の挟持板に接続座が設けられ、前記接続座に第２の軸方向位置規制部が設けられ、前記ネジロッドはその第１の軸方向位置規制部で前記接続座の第２の軸方向位置規制部に接続されることで、前記ネジロッドと前記第２の挟持板との間の軸方向移動を限定するネジロッドと、
ロック装置であって、前記ロック装置は前記接続座に設けられ、前記第１の挟持板及び前記第２の挟持板が電子機器を挟持する際に、前記ロック装置は前記ネジロッドを周方向にロックするために用いられるロック装置と、を含む。
【０００６】
さらに、前記ロック装置は、偏心輪と、偏心軸と、偏心輪ホルダとを含み、前記偏心輪ホルダは前記取り付け座に回転可能に接続され、前記偏心輪は前記偏心輪ホルダに回転可能に設けられ、前記偏心軸は前記偏心輪に設けられ、前記偏心輪にスロットが設けられ、前記ネジロッドの前記第１の挟持板から離れた一端は前記偏心輪ホルダ及び前記スロットを貫通し、前記偏心軸に接続される。
【０００７】
さらに、前記取り付け座に収容室が設けられ、前記収容室内にばねが設けられ、前記ばねは前記ネジロッドに外嵌され、前記ばねの一端は前記収容室の内壁に当接し、前記ばねの他端は前記第２の軸方向位置規制部に当接するために用いられる。
【０００８】
さらに、前記偏心輪ホルダの前記取り付け座に面する側に複数の第１のストッパが設けられ、前記取り付け座の前記偏心輪ホルダに面する側に複数の第２のストッパが設けられ、前記第１のストッパは前記第２のストッパに係合する。
【０００９】
さらに、前記第１の支持板に第１の挟持部材が設けられ、前記第２の支持板に第２の挟持部材が設けられ、前記第１の挟持部材は電子機器の一端に挟持されるために用いられ、前記第２の挟持部材は電子機器の他端に挟持されるために用いられ、前記第１の挟持部材と前記第２の挟持部材との間に挟持ステーションが形成される。
【００１０】
さらに、２つのガイドロッドをさらに含み、前記第１の支持板に２つのガイドロッド貫通孔が設けられ、２つの前記ガイドロッドの一端は前記取り付け座に接続され、２つの前記ガイドロッドの他端は前記第２の支持板を貫通し、２つの前記ガイドロッド貫通孔まで延び、前記ネジロッドと２つの前記ガイドロッドとは「品」字状に設けられる。
【００１１】
さらに、前記第１の挟持部材は前記第１の支持板の縁部に傾斜して設けられ、前記第２の挟持部材は前記第２の支持板の縁部に傾斜して設けられ、前記第１の挟持部材の自由端及び前記第２の挟持部材の自由端はいずれも前記挟持ステーションに向かって延びている。
【００１２】
さらに、前記第１の挟持部材の内側及び前記第２の挟持部材の内側にいずれも緩衝部材が設けられる。
【００１３】
さらに、前記第１の支持板に第１の受け部材がさらに設けられ、前記第２の支持板に第２の受け部材がさらに設けられ、前記第１の受け部材及び前記第２の受け部材は電子機器の底部を支持するために用いられる。
【００１４】
さらに、前記第１の受け部材に複数の第１のねじ孔が設けられ、前記第２の受け部材に複数の第２のねじ孔が設けられ、前記第１の支持板に第１のねじが設けられ、前記第２の支持板に第２のねじが設けられ、前記第１のねじは前記第１のねじ孔にネジ接続され、前記第２のねじは前記第２のねじ孔にネジ接続される。
【００１５】
さらに、接続アセンブリをさらに含み、前記第１の支持板の下面にユニバーサルボールスロットが設けられ、前記接続アセンブリの一端にユニバーサルボールが設けられ、前記ユニバーサルボールは前記ユニバーサルボールスロットに挿着され、前記接続アセンブリの他端にフープが設けられ、前記フープは円筒形の電子機器配置箇所にしっかりと接続するために用いられる。
【００１６】
さらに、前記接続アセンブリは十字型の締め付け装置をさらに含み、前記ユニバーサルボールスロットに雄ネジが設けられ、前記締め付け装置に雌ネジが設けられ、前記締め付け装置は前記ユニバーサルボールスロットに外嵌される。
【考案の効果】
【００１７】
本考案の有益な効果は以下のとおりである。上記構造の設置により、第１の軸方向位置規制部と第２の軸方向位置規制部が係合し、第２の挟持板とネジロッドの軸方向移動を限定し、一方、ネジロッドとネジ接続部とがネジ接続されることで、第１の支持板とネジロッドとが軸方向に接続することができるようになり、使用時には、ネジロッドを回動させることで、第１の支持板と第２の支持板を相対的に摺動させることができ、一方、ロック装置の設置により、ネジロッドの周方向の転動を効果的に限定し、第１の支持板と第２の支持板をロックする作用を実現するとともに、電子機器を容易にクランプしたり解放したりすることができ、製品の実用性を向上させ、ユーザの使用体験を保障する。
【図面の簡単な説明】
【００１８】
【図１】本考案の全体構造をある角度から見た模式図である。
【図２】本考案の開状態模式図である。
【図３】本考案の構造をある角度から見た断面模式図である。
【図４】図３の円Ａにおける拡大図である。
【図５】本考案の全体構造を別の角度から見た模式図である。
【図６】本考案の構造を別の角度から見た断面模式図である。
【図７】本考案の開状態断面図である。
【図８】本考案の一部分解構造の模式図である。
【図９】本考案の使用状態の参考図である。
【考案を実施するための形態】
【００１９】
図１〜図９を参照して本考案の実施例に係る新規な電子機器挟持装置を説明する。この新規な電子機器挟持装置は、
第１の挟持板１０及び第２の挟持板２０であって、前記第１の挟持板１０は前記第２の挟持板２０と摺動可能に接続される第１の挟持板１０及び第２の挟持板２０と、
ネジロッド３０であって、前記第１の挟持板１０にネジ接続部１１が設けられ、前記ネジロッド３０は前記第１の挟持板１０のネジ接続部１１とネジ接続され、前記ネジロッド３０に前記ネジロッド３０の周りに設けられた第１の軸方向位置規制部３１が設けられ、前記第２の挟持板２０に接続座２１が設けられ、前記接続座２１に第２の軸方向位置規制部２１１が設けられ、前記ネジロッド３０はその第１の軸方向位置規制部３１で前記接続座２１の第２の軸方向位置規制部２１１に接続されることで、前記ネジロッド３０と前記第２の挟持板２０との間の軸方向移動を限定するネジロッド３０と、
ロック装置４０であって、前記ロック装置４０は前記接続座２１に設けられ、前記第１の挟持板１０及び前記第２の挟持板２０が電子機器を挟持する際に、前記ロック装置４０は前記ネジロッド３０を周方向にロックするために用いられるロック装置４０と、を含む。
【００２０】
上記構造の設置により、第１の軸方向位置規制部３１と第２の軸方向位置規制部２２１が係合し、第２の挟持板２０とネジロッド３０の軸方向移動を限定し、一方、ネジロッド３０とネジ接続部１１とがネジ接続されることで、第１の挟持板１０とネジロッド３０とが軸方向に接続することができるようになり、使用時には、ネジロッド３０を回動させることで、第１の挟持板１０と第２の挟持板２０を相対的に摺動させることができ、一方、ロック装置４０の設置により、ネジロッド３０の周方向の転動を効果的に限定し、第１の挟持板１０と第２の挟持板２０をロックする作用を実現するとともに、電子機器を容易にクランプしたり解放したりすることができ、製品の実用性を向上させ、ユーザの使用体験を保障する。
【００２１】
本実施例において、前記ロック装置４０は、偏心輪４１と、偏心軸４２と、偏心輪ホルダ４３とを含み、前記偏心輪ホルダ４３は前記取り付け座２１に回転可能に接続され、前記偏心輪４１は前記偏心輪ホルダ４３に回転可能に設けられ、前記偏心軸４２は前記偏心輪４１に設けられ、前記偏心輪にスロット４１１が設けられ、前記ネジロッド３０の前記第１の挟持板１０から離れた一端は前記偏心輪ホルダ４３及び前記スロット４１１を貫通し、前記偏心軸４２に接続される。
上記構造の設置により、偏心軸４２が偏心輪４１の中心の一側に設置されているため、偏心輪４１を回動させると、偏心軸４２及び偏心輪４１の縁部にストローク差を発生させるので、偏心輪４１が偏心輪ホルダ４３を取り付け座に押し付け、さらに第１の挟持板１０及び第２の挟持板２０をロックし、偏心輪構造により製品を電子機器の両端にしっかりと挟持することができ、製品の安定性を向上させ、また、偏心輪ロック構造はロック及び解放を容易にする利点も有し、ユーザが電子機器を持ち運びやすく、ユーザの使用体験を向上させる。
【００２２】
本実施例において、前記取り付け座２１に収容室２１２が設けられ、前記収容室２１２内にばね５０が設けられ、前記ばね５０は前記ネジロッド３０に外嵌され、前記ばね５０の一端は前記収容室２１２の内壁に当接し、前記ばね５０の他端は前記第２の軸方向位置規制部２１１に当接するために用いられる。
上記構造の設置により、ばね５０の両端はそれぞれ第２の軸方向位置規制部２１１及び収容室２１２の内壁に当接し、使用時には、偏心輪４１を回動させると、取り付け座２１が本体に向かって移動し、ばね５０が変形し、位置エネルギーを蓄え、ロック装置４０が第２の挟持板２０及び第１の挟持板１０を近接してロックさせ、さらに電子機器を固定し、一方、偏心輪４１を逆方向に回動させると、偏心ロックアセンブリを解放し、ばね５０が復帰し、取り付け座２１が主板から離れて移動し、第２の挟持板２０及び第１の挟持板１０が離れ、電子機器を解放し、一方、ばね５０は係止バネ及び収容室２１２の内壁に当接することができ、それによってロック装置４０がより容易にロックし、その離脱を防止し、製品の安定性を向上させる。
【００２３】
本実施例において、前記偏心輪ホルダ４３の前記取り付け座２１に面する側に複数の第１のストッパ４３１が設けられ、前記取り付け座２１の前記偏心輪ホルダ４３に面する側に複数の第２のストッパ２１３が設けられ、前記第１のストッパ４３１は前記第２のストッパ２１３に係合する。
上記構造の設置により、第１のストッパ４３１と第２のストッパ２１３が係合することにより、偏心輪ホルダ４３と取り付け座２１との間の周方向の回動を効果的に防止し、自動二輪車、電気自動車及び自転車の走行中の揺れによる緩みを防止し、ユーザの財産の安全を効果的に保障し、製品の安定性を向上させる。
【００２４】
本実施例において、前記第１の挟持板１０に第１の挟持部材１２が設けられ、前記第２の挟持板２０に第２の挟持部材２２が設けられ、前記第１の挟持部材１２は電子機器の一端に挟持されるために用いられ、前記第２の挟持部材２２は電子機器の他端に挟持されるために用いられ、前記第１の挟持部材１２と前記第２の挟持部材２２との間に挟持ステーションが形成される。
【００２５】
本実施例において、２つのガイドロッド６０をさらに含み、前記第１の挟持板１０に２つのガイドロッド貫通孔１４が設けられ、２つの前記ガイドロッド６０の一端は前記取り付け座２１に接続され、２つの前記ガイドロッド６０の他端は前記第２の挟持板２０を貫通し、２つの前記ガイドロッド貫通孔１４まで延び、前記ネジロッド３０と２つの前記ガイドロッド６０とは「品」字状に設けられる。
上記構造の設置により、ガイドロッド６０の設置により第１の挟持板１０と第２の挟持板２０との間の移動がより安定してスムーズになるとともに、ネジロッド３０とガイドロッド６０が「品」字状に設置され、両者が第１の挟持板１０及び第２の挟持板２０を千鳥状に支持することで、第１の挟持板１０と第２の挟持板２０のずれを防止し、製品の安定性を向上させる。
【００２６】
本実施例において、前記第１の挟持部材１２は前記第１の挟持板１０の縁部に傾斜して設けられ、前記第２の挟持部材２２は前記第２の挟持板２０の縁部に傾斜して設けられ、前記第１の挟持部材１２の自由端及び前記第２の挟持部材２２の自由端はいずれも前記挟持ステーションに向かって延びている。
上記構造の設置により、傾斜して設けられた第１の挟持部材１２及び第２の挟持部材２２は電子機器を効果的に挟持してロックすることができ、電子機器が挟持装置内から離脱することを防止し、製品の安定性を効果的に向上させ、製品構造が安定し、使用しやすい。
【００２７】
本実施例において、前記第１の挟持部材１２の内側及び前記第２の挟持部材２２の内側にいずれも緩衝部材７０が設けられる。
上記構造の設置により、緩衝部材７０が第１の挟持部材１２の内側及び第２の挟持部材２２の内側に設けられ、電子機器に直接接触することで、電子機器と挟持装置との間の摩擦力を向上させることができ、一方、電子機器と挟持装置との間に緩衝を提供することもでき、電子機器の損傷を防止し、ユーザの財産の安全を効果的に保護し、使用体験を向上させる。
【００２８】
本実施例において、前記第１の持挟板１０に第１の受け部材１３がさらに設けられ、前記第２の挟持板２０に第２の受け部材２３がさらに設けられ、前記第１の受け部材１３及び前記第２の受け部材２３は電子機器の底部を支持するために用いられる。
上記構造の設置により、２つの第１、第２の受け部材１３、２３が挟持装置の下部に設けられ、電子機器を受けることができ、電子機器が滑り落ちることを防止し、製品の安定性を向上させ、使用が簡便である。
【００２９】
本実施例において、前記第１の受け部材に複数の第１のねじ孔が設けられ、前記第２の受け部材に複数の第２のねじ孔が設けられ、前記第１の挟持板１０に第１のねじが設けられ、前記第２の挟持板２０に第２のねじが設けられ、前記第１のねじは前記第１のねじ孔にネジ接続され、前記第２のねじは前記第２のねじ孔にネジ接続される。
上記構造の設置により、第１のねじがある第１のねじ孔に接続され、第２のねじがある第２のねじ孔に接続され、第１の受け部材１３が第１の挟持板から延びている長さを調節することができ、及び第２の受け部材２３が第２の挟持板２０から延びている長さを調節することができ、異なる寸法の電子機器を支持することができ、製品の適用性を強化し、ユーザの使用体験を向上させ、使用が簡単であり、操作しやすい。
【００３０】
本実施例において、接続アセンブリ８０をさらに含み、前記第１の挟持板１０の下面にユニバーサルボールスロット１５が設けられ、前記接続アセンブリ８０の一端にユニバーサルボール８１が設けられ、前記ユニバーサルボール８１は前記ユニバーサルボールスロット１５に挿着され、前記接続アセンブリ８０の他端にフープ８２が設けられ、前記フープ８２は円筒形の電子機器配置箇所にしっかりと接続するために用いられる。
上記構造の設置により、フープ８２の設置によりユーザが当該電子機器挟持装置を自動二輪車、電気自動車及び自転車に容易に取り付け、ユニバーサルボール８１がユニバーサルボールスロット１５に回動可能に接続されることで、当該電子機器挟持装置は角度を自由に調節することができ、ユーザによる電子機器の観察を容易にし、製品の安定性を向上させる。
【００３１】
本実施例において、前記接続アセンブリ８０は十字型の締め付け装置８３をさらに含み、前記ユニバーサルボールスロット１１５に雄ネジが設けられ、前記締め付け装置８３に雌ネジが設けられ、前記締め付け装置８３は前記ユニバーサルボールスロット１１５に外嵌される。
上記構造の設置により、雌ネジと雄ネジの係合により、前記締め付け装置８３は前記ユニバーサルボールスロット１１５にネジ接続され、さらにユニバーサルボールスロット１１５はユニバーサルボール８１に締め付けられ、ユニバーサルボール８１とユニバーサルボールスロット１１５の固定を実現し、ユーザが電子機器挟持装置の向きを調節して固定することが容易になり、且つ十字型の締め付け装置はユーザが力を入れて締め付けることが容易であり、ユーザが使用しやすく、構造が簡単であり、効果が顕著である。
【００３２】
上述のように、具体的な内容に合わせて１つ又は複数の実施形態が提供されているが、本考案の具体的な実施がこれらの説明に限定されると判断するものではない。本考案の方法、構造と近似なもの、類似なもの、あるいは本考案の構想の前提でなされた複数の技術的な派生や置き換えは、本考案の保護範囲とみなすものとする。
【符号の説明】
【００３３】
１０  第１の挟持板
２０  第２の挟持板
３０  ネジロッド
４０  ロック装置
【図１】
0003234612.tif 000003
【図２】
0003234612.tif 000004
【図３】
0003234612.tif 000005
【図４】
0003234612.tif 000006
【図５】
0003234612.tif 000007
【図６】
0003234612.tif 000008
【図７】
0003234612.tif 000009
【図８】
0003234612.tif 000010
【図９】
0003234612.tif 000011